(57)【要約】      （修正有）【課題】コントラストが高く、黒むらの少ない、黒表示性能の高い投射型映像表示装置を安価に提供する。【解決手段】投射型映像表示装置に用いられる液晶表示素子の液晶分子による光学的位相差を補償する光学補償素子２３を投射型映像表示装置に固定する際に、外部調整装置によって液晶表示素子３３との相対的な位置を調整したのち、固定する。これにより、黒表示性能の高い投射型映像表示装置を提供できる。このとき、液晶表示素子３３と光学補償素子２３の相対的位置を調整する手段を投射型映像表示装置に持たせないことにより、部品点数を低減し、投射型映像表示装置を安価に提供することができる。【選択図】図５
2005055455.tif 000002
【特許請求の範囲】
【請求項１】
光源と、複数の液晶分子を配列した液晶層を有し前記光源から発せられた光を変調させる液晶表示素子と、該液晶表示素子の入射側及び出射側の少なくとも一方に設けられ、前記液晶層の液晶分子によって生じる光学的な位相差を補償する光学素子と、前記液晶表示素子により変調された光を投射する手段とを有する投射型映像表示装であって、
前記液晶表示素子は略長方形形状の有効表示領域を有し、
前記光学素子の少なくとも一つは、前記略長方形形状の特定の一辺と略平行な基準辺を持つ形状を有する、或いは、前記略長方形形状の特定の一辺と略平行な基準辺が表記されており、
前記光学素子基準辺は、光の入射方向にほぼ直交する面内において前記液晶表示素子の特定の一辺と少なくとも回転方向で１度以上５度以下の角度だけ異なって配置されていることを特徴とする投射型映像表示装置。
【請求項２】
前記液晶表示素子と前記光学素子との相対的位置関係を調節する調節手段を備えていないことを特徴とする請求項１に記載の投射型映像表示装置。
【請求項３】
前記光学素子は、前記液晶層の入射領域または出射領域における液晶分子によって生じる光学的な位相差を補償する素子であることを特徴とする請求項１に記載の投射型映像表示装置。
【請求項４】
前記光学素子は長方形の平板形状であり、該長方形の一辺が、前記基準辺をなすことを特徴とする請求項１に記載の投射型映像表示装置。
【請求項５】
前記光学素子は相対位置の固定された少なくとも二つ以上の物体から構成され、前記構成物体の少なくとも一つの物体が長方形の平板形状をなし、この長方形の一辺が、前記基準辺をなすことを特徴とする請求項１に記載の投射型映像表示装置。
【請求項６】
前記光学素子と前記映像表示素子は共通の保持部材に固定されることを特徴とする請求項１乃至請求項５の何れか一項に記載の投射型映像表示装置。
【請求項７】
前記光学素子は前記保持部材に化学的に接着されていることを特徴とする請求項６に記載の投射型映像表示装置。
【請求項８】
前記光学素子は前記保持部材の構造形状制約のみによって位置が固定されていることを特徴とする請求項６に記載の投射型映像表示装置。
【請求項９】
前記保持部材は特定領域の平面部を有することを特徴とする請求項６に記載の投射型映像表示装置。
【請求項１０】
前記特定領域の平面部は、前記光学素子を前記液晶表示素子に平行な平面内で、前記液晶表示素子の基準辺と、前記光学素子の基準辺が平行となる様に任意の位置で配置したとき、前記光学素子の長方形形状の一辺の長さをＨ、他方の長さをＶとし、前記光学素子の中心を基準とする長さｒ、角度θ  （−１８０°≦θ≦１８０°）の極座標を定め、長さＨの辺に平行な方向をθ＝０°とするとき、下式を満足する４円弧（ｒ，θ１）、（ｒ，θ２）、（ｒ，θ３）、（ｒ，θ４）を含む４領域の内少なくとも２領域を含む平面であることを特徴とする請求項６に記載の投射型映像表示装置。
【数１】
2005055455.tif 000008
【数２】
2005055455.tif 000009
【数３】
2005055455.tif 000010
【数４】
2005055455.tif 000011
【数５】
2005055455.tif 000012
【請求項１１】
光源と、複数の液晶分子を配列した液晶層を有し前記光源から発せられた光を変調させる液晶表示素子と、該液晶表示素子の入射側及び出射側の少なくとも一方に設けられ、前記液晶層の液晶分子によって生じる光学的な位相差を補償する光学素子と、前記液晶表示素子により変調された光を投射する手段とを有する投射型映像表示装の調整方法であって、
該投射型映像表示装は、前記光学素子と前記映像表示素子とを固定するための特定領域の平面部を有する保持部材を有し、
該投射型映像表示装置とは別体の装置によって、前記液晶表示素子と前記光学素子の相対位置を前記特定領域の平面部において前記調整したのち固定するようにしたことを特徴とする投射型映像表示装の調整方法。
【請求項１２】
前記特定領域の平面部は、前記光学素子を前記液晶表示素子に平行な平面内で、前記液晶表示素子の基準辺と、前記光学素子の基準辺が平行となる様に任意の位置で配置したとき、前記光学素子の長方形形状の一辺の長さをＨ、他方の長さをＶとし、前記光学素子の中心を基準とする長さｒ、角度θ  （−１８０°≦θ≦１８０°）の極座標を定め、長さＨの辺に平行な方向をθ＝０°とするとき、下式を満足する４円弧（ｒ，θ１）、（ｒ，θ２）、（ｒ，θ３）、（ｒ，θ４）を含む４領域の内少なくとも２領域を含む平面であることを特徴とする請求項１０に記載の投射型映像表示装置の調整方法。
【数１】
2005055455.tif 000013
【数２】
2005055455.tif 000014
【数３】
2005055455.tif 000015
【数４】
2005055455.tif 000016
【数５】
2005055455.tif 000017
【発明の詳細な説明】
【０００１】
【発明の属する技術分野】
本発明は、映像表示素子として液晶表示素子を用い、該液晶表示素子で映像信号に応じた光学像を形成し、その光学像をスクリーンなどに投射する投射型映像表示装置およびその調整方法に関する。
【０００２】
【従来の技術】
従来からの投射型映像表示装置の光学系においては、液晶表示素子を構成する２枚の透明基板付近の液晶分子による複屈折によって、入射光線に対し、入射光の振動方向を変えてしまう現象が発生する。この現象により、黒表示時のスクリーン上での照度が上がってしまい、映像のコントラストが低下するという問題がある。また、ツイステッド・ネマティック（ＴＮ）型液晶表示素子では、原理上、この入射光の振動方向が変化してしまう現象の発生量が光線の入射角度によって異なる。すなわち液晶表示素子によって構成されるライトバルブのコントラストは入射光線角度に対して分布を持っている。また実際の投射型映像表示装置の光学系においては、一般的に液晶表示素子に対する照明光学系による入射光線束は角度分布を持っており、その分布は一般的に液晶表示素子の面内において不均一である。
【０００３】
そこで、液晶表示素子の透明基板付近の液晶分子による複屈折によって生じる入射光の振動方向が変化する現象を防ぐ手段として、下記特許文献１、下記特許文献２等に記載の、液晶表示素子で生じる入射光の振動方向の変化とは逆方向にその変化が生じるような光学異方素子を用いた光学補償素子により、液晶表示素子で生じる入射光の振動方向の変化を光学補償素子で生じる逆方向の振動で相殺する手段がある。また、液晶表示素子に入射する光の光軸に垂直な面内に配置された光学補償素子の位置をこの面内で調節する調節手段を有する投射型映像表示装置が下記特許文献３に開示されている。
【０００４】
【特許文献１】
特開平６−１７４９２０号公報
【特許文献２】
特開平６−２６５７２８号公報
【特許文献３】
特開２００２−１８２２１３号公報
【０００５】
【発明が解決しようとする課題】
上記特許文献３に記載の投射型映像表示装置に調節機構を設けた方法では、調節無しの投射型映像表示装置に比べ、光学補償素子の固定方法が複雑になり、部品点数が増加し、製品価格が高くなるというデメリットがあった。
【０００６】
本発明は、上記した課題に鑑みて成されたものであり、その目的は、これらの課題を解決し、黒表示時の性能を向上し、安価でありながら高いコントラストと、照度が均一で色むらの良好な黒表示性能を有する投射型映像表示装置およびその調整方法を提供することにある。
【０００７】
【課題を解決するための手段】
本発明は上記課題を解決するため、光源と、複数の液晶分子を配列した液晶層を有し前記光源から発せられた光を変調させる液晶表示素子と、該液晶表示素子の入射側及び出射側の少なくとも一方に設けられ、前記液晶層の液晶分子によって生じる光学的な位相差を補償する光学素子と、前記液晶表示素子により変調された光を投射する手段とを有する投射型映像表示装であって、前記液晶表示素子は略長方形形状の有効表示領域を有し、前記光学素子の少なくとも一つは、前記略長方形形状の特定の一辺と略平行な基準辺を持つ形状を有する、或いは、前記略長方形形状の特定の一辺と略平行な基準辺が表記されており、前記光学素子基準辺は、光の入射方向にほぼ直交する面内において前記液晶表示素子の特定の一辺と少なくとも回転方向で１度以上５度以下の角度だけ異なって配置するように構成する。
【０００８】
【発明の実態の形態】
以下本発明の実施の形態について図面を参照して詳細に説明する。なお、各図において、同一な部分には同一符号を付して、一度説明したものについては、その説明を省略する。
【０００９】
なお、符号のあとにＲまたはＧまたはＢを添えて示す構成要素は、色によって分離された複数の光路で区別する必要があるものである。説明上特に支障がない場合には、添字を省略する。また符号のあとにＡ、Ｂ、Ｃ、Ｄを添えて示す構成要素は、符号の示す構成要素の一部分もしくは、符号の示す構成要素に係る光軸、光学的方向を示したものである。
（第１の実施形態）
図１は本発明による投射型液晶表示装置の第１の実施形態の一例を示す図である。図１の３板式の投射型液晶表示装置において、１は光源であり、超高圧水銀ランプ、メタルハライドランプ、キセノンランプ、水銀キセノンランプ、ハロゲンランプ等の白色ランプである。光源１は、円形ないし、多角形の出射開口を持つ少なくとも１つの反射鏡２を有し、この光源１から出される光は液晶表示素子からなるライトバルブ１４を通過して投射レンズ２００に向かい、スクリーン１００へ投影される。
【００１０】
光源１の電球から放射される光は例えば放物面の反射鏡２で反射されて光軸に平行となり、第１のアレイレンズ３に入射される。第１のアレイレンズ３は、入射した光をマトリックス状に配設された複数のレンズセルで複数の光に分割して、効率よく第２のアレイレンズ４と偏光変換素子５を通過するように導く。即ち、第１のアレイレンズ３は光源１と第２のアレイレンズ４の各レンズセルとが互いに物体と像の関係（共役関係）になるように設計されている。第１のアレイレンズ３と同様に、マトリックス状に配設された複数のレンズセルを持つ第２のアレイレンズ４は、構成するレンズセルそれぞれが対応する第１のアレイレンズ３のレンズセルの形状をライトバルブ１４内の液晶表示素子１８に投影する。この時、偏光変換素子５で第２のアレイレンズ４からの光は所定の偏光方向に揃えられ、そして、第１のアレイレンズ３の各レンズセルの投影像は、それぞれ集光レンズ６、およびコンデンサレンズ１３、第１のリレーレンズ１５，第２のリレーレンズ１６，第３のリレーレンズ１７によりライトバルブ１４内の液晶表示素子１８上に重ね合わせられる。なお集光レンズ６は光軸３００を有する。
【００１１】
なお、第２のアレイレンズ４とこれに近接して配設される集光レンズ６とは、第１のアレイレンズ３と液晶表示素子１８とが、互いに物体と像の関係（共役関係）になるように設計されているので、第１のアレイレンズ３で複数に分割された光束は、第２のアレイレンズ４と集光レンズ６によって、ライトバルブ１４内の液晶表示素子１８上に重畳して投影され、実用上問題のないレベルの均一性の高い照度分布の照明が可能となる。
【００１２】
その過程で、反射ミラー７で反射された光は、ダイクロイックミラー１１により、例えばＢ光（青色帯域の光）は反射され、Ｇ光（緑色帯域の光）およびＲ光（赤色帯域の光）は透過されて２色の光に分離され、更に、Ｇ光とＲ光はダイクロイックミラー１２によりＧ光とＲ光に分離される。例えば、Ｇ光はダイクロイックミラー１２で反射され、Ｒ光はダイクロイックミラー１２を透過して３色の光に分離される。この光の分離の仕方は種々考えられ、ダイクロイックミラー１１でＲ光を反射させ、Ｇ光及びＢ光を透過させてもよいし、Ｇ光を反射させ、Ｒ光及びＢ光を透過させてもよい。例として、Ｂ光はダイクロイックミラー１１を反射して、反射ミラー１０で反射され、コンデンサレンズ１３Ｂを通してＢ光用のライトバルブ１４Ｂを透過して光合成プリズム２１に入射される。ここでコンデンサレンズ１３Ｂを透過し、ライトバルブ１４Ｂに入射するＢ光をＬＢと呼ぶことにする。ダイクロイックミラー１１で透過されたＧ光及びＲ光の内、Ｇ光はダイクロイックミラー１２で反射され、コンデンサレンズ１３Ｇを通してＧ光用ライトバルブ１４Ｇに入射され、このライトバルブ１４Ｇを透過して光合成プリズム２１に入射される。ここでコンデンサレンズ１３Ｇを透過し、ライトバルブ１４Ｇに入射するＧ光をＬＧと呼ぶことにする。Ｒ光はダイクロイックミラー１２を透過し、第１のリレーレンズ１５で集光され、更に反射ミラー８で反射され、第２のリレーレンズ１６で更に集光され、反射ミラー９で反射された後、第３のリレーレンズ１７で更に集光されてＲ光用のライトバルブ１４Ｒに入射される。ライトバルブ１４Ｒを透過したＲ光は光合成プリズム２１に入射される。ここでリレーレンズ１７を透過し、ライトバルブ１４Ｒに入射するＲ光をＬＲと呼ぶことにする。各液晶表示素子１８を透過したＢ光、Ｇ光、Ｒ光は、光合成プリズム２１によってカラー映像として合成された後、例えばズームレンズであるような投射レンズ２００を通過し、スクリーン１００に到達する。ライトバルブ１４内の液晶表示素子１８に光強度変調で形成された光学像は、投射レンズ２００によりスクリーン１００上に拡大投影され表示装置として機能するものである。
【００１３】
図２はライトバルブの構成を示すものである。ライトバルブ１４Ｂ、１４Ｇ、１４Ｒは光強度変調の対象のとなる光の分光特性が異なるのみであり、その機能及び構成は図２に示したライトバルブ１４と実質的には同じものである。図２は光軸３００に対して垂直な方向から見た配置図であり、図に示される入射光Ｌはライトバルブ１４に入射される光であり、前述ＬＢ、ＬＧ、ＬＲを総じて称したものである。以下ライトバルブ１４Ｂ、１４Ｇ、１４Ｒをライトバルブ１４、液晶表示素子１８Ｂ、１８Ｇ、１８Ｒを液晶表示素子１８、またＬＢ、ＬＧ、ＬＲを入射光Ｌとし、纏めて説明する。
【００１４】
図２に示すようなライトバルブ１４（１４Ｂ、１４Ｇ、１４Ｒ）は下記のように構成される。図２に示すようにライトバルブ１４（１４Ｂ、１４Ｇ、１４Ｒ）は入射光側から順に入射偏光板２２、光学補償素子２３、液晶表示素子１８（１８Ｂ、１８Ｇ、１８Ｒ）、光学補償素子２４、出射偏光板２５を有している。この配置順では光学補償素子２３、２４はそれぞれ入射偏光板２２と液晶表示素子１８（１８Ｂ、１８Ｇ、１８Ｒ）の間、液晶表示素子１８（１８Ｂ、１８Ｇ、１８Ｒ）と出射偏光板２５の間に配置されるが、ともに入射偏光板２２と液晶表示素子１８（１８Ｂ、１８Ｇ、１８Ｒ）の間、もしくはともに液晶表示素子１８（１８Ｂ、１８Ｇ、１８Ｒ）と出射偏光板２５の間に配置しても構わない。また簡単の為、入射偏光板２２、光学補償素子２３、液晶表示素子１８（１８Ｂ、１８Ｇ、１８Ｒ）、光学補償素子２４、出射偏光板２５は離れた状態で示されている。
【００１５】
なおライトバルブ１４に属する各光学素子の入射面及び出射面はすべて光軸３００に直交している。
【００１６】
図３（ａ）はライトバルブ１４（１４Ｂ、１４Ｇ、１４Ｒ）を構成する光学素子の各軸方向について示したものである。光軸３００に平行な方向をＺ方向とする。入射偏光板２２は入射光Ｌのうち、第１の方向（Ｘ方向とする。）に振動する光成分を吸収する吸収軸２２Ａを有している。一方、出射偏光板２５は第１の方向（Ｘ方向）に直交する第２の方向（Ｙ方向とする。）に振動する光成分を吸収する吸収軸２５Ａを有しており、入射偏光板２２及び出射偏光板２５はいわゆるクロスニコル状態に配置されている。
【００１７】
液晶表示素子１８（１８Ｂ、１８Ｇ、１８Ｒ）は図示しない２枚の基板の内側に液晶層２８を有している。液晶層２８の入射側面、出射側面にはそれぞれ、配向膜２６、２７が形成され、これら配向膜２６、２７はラビング処理により、図示しない微細な溝が同一方向に形成されている。このラビング処理により形成される溝の方向をラビング方向とする。また配向膜２６のラビング方向を２６Ａ、配向膜２７のラビング方向を２７Ａとする。
【００１８】
また光学補償素子２３，２４は前記特許文献３の図３に記載されている光学軸Ｐ１，Ｐ２に対応する光学軸２３Ａ、２４Ａを有する。光学軸２３Ａ、２４Ａはそれぞれ、ラビング方向２６Ａ、２７Ａと略平行な方向に配置される。図３（ａ）では配向膜２６のラビング方向２６ＡはＹ方向に平行、配向膜２７のラビング方向２７ＡはＸ方向に平行に配置しているが、図３（ｂ）のように配向膜２６のラビング方向２６ＡはＸ方向に平行、配向膜２７のラビング方向２７ＡはＹ方向に平行に配置しても構わない。光学補償素子２３，２４としては、例えば、富士写真フィルム株式会社製の「Ｆｕｊｉ  ＷＶ  Ｆｉｌｍ  ワイドビューＡ」を用いることができる。
【００１９】
次に光学補償素子２３，２４の固定方法に関して説明する。図４は光学補償素子２３（もしくは２４、以下「もしくは」は省略する）と液晶表示素子１８（１８Ｂ、１８Ｇ、１８Ｒ）が共通の保持部材２９に固定されている状態を光軸３００に垂直な方向から見た図である。光学補償素子２３（２４）のうち図示しない他方の光学補償素子は保持部材２９に固定されても、その他の保持部材（図示せず）に固定されても構わない。
【００２０】
このとき、上記、光学補償素子２３（２４）、液晶表示素子１８（１８Ｂ、１８Ｇ、１８Ｒ）、保持部材２９を光軸３００方向から示した模式図が、図５である。
【００２１】
保持部材２９は光学素子２３（２４）を固定する為の固定面２９Ａ、２９Ｂ、２９Ｃ、２９Ｄを有し、また、入射光Ｌが透過する為の窓３２を有する。３３は液晶表示素子１８（１８Ｂ、１８Ｇ、１８Ｒ）の有効表示範囲を示しており、ここでは概略長方形をなしている。３４は前記長方形の底辺で基準辺とみなすことができる。これに対し、光学補償素子２３（２４）は液晶表示素子１８（１８Ｂ、１８Ｇ、１８Ｒ）の基準辺３４に対応した基準辺３１を構造上有し、基準辺３４と基準辺３１の光軸３００に垂直な平面内でなす角αが外部調整機構によって調整される。黒レベル表示を改善し、高いコントラストを得て、黒むらを少なくする為には各光学素子の特性のばらつきを光学補償素子２３（２４）の角度調整によって打ち消す必要があり、そのすべてのばらつきを打ち消す為にはαは１度以上の角度まで調整できる必要がある。
【００２２】
光学補償素子２３（２４）の固定は保持部材２９の固定面２９Ａ、２９Ｂ、２９Ｃ、２９Ｄにそれぞれ、接着剤４０１、４０２、４０３、４０４をもちいて化学的に固定される。
【００２３】
保持部材２９に対する液晶表示素子１８（１８Ｂ、１８Ｇ、１８Ｒ）の固定は、たとえば科学的な接着でも、係止部材による固定でも構わない。
【００２４】
図６に保持部材２９の形状の一例を示す。上記説明のとおり、保持部材２９は固定面２９Ａ、２９Ｂ、２９Ｃ、２９Ｄを有し、この位置に光学補償素子２３（２４）を固定する。また入射光Ｌが透過する為の窓３２を有し、光学補償素子２３（２４）の固定とは反対の面に液晶表示素子１８（１８Ｂ、１８Ｇ、１８Ｒ）を固定する。このとき液晶表示素子１８（１８Ｂ、１８Ｇ、１８Ｒ）の有効表示範囲３３の一辺を液晶表示素子１８（１８Ｂ、１８Ｇ、１８Ｒ）の有効表示範囲の基準辺３４とし、このとき基準辺３４は光学補償素子２３（２４）の基準辺３１と光軸３００に垂直な平面内で１度以上の角度をなす。上記の関係を満たせば、入射光Ｌに対し、液晶表示素子１８（１８Ｂ、１８Ｇ、１８Ｒ）、光学補償素子２３（２４）のどちらが、先に配置されていても構わない。
（第２の実施形態）
第２の実施形態は第１の実施形態から光学補償素子２３（２４）の形状のみ変えたものである。図７にその光学補償素子２３（２４）の構成の一例を示す。第２の実施形態の光学補償素子２３（２４）は図示される長方形の平板形状の光学素子３６に長方形の平板形状の光学補償素子３５が固定され、構成されている。
このとき、光学補償素子３５の一辺３５Ａ、もしくは光学素子３６の一辺３６Ａが、第１の実施形態における光学補償素子２３（２４）の基準辺３１に対応していることを特徴としている。このとき、長方形の平板形状をしているのは光学素子３６、光学補償素子３５のどちらか一方でも構わない。この場合、長方形の平板形状をしているの方の一辺を基準辺３１に対応させる。
（第３の実施形態）
第３の実施形態は第１の実施形態から光学補償素子２３（２４）の保持部材２９に対する固定方法のみ変更したものである。第３の実施形態は図５において、光学補償素子２３（２４）を保持部材２９の固定面２９Ａ、２９Ｂ、２９Ｃ、２９Ｄにおいて接着剤４０１、４０２、４０３、４０４で固定するのではなく、固定面２９Ａ、２９Ｂ、２９Ｃ、２９Ｄを熱等の外力によって変形させ、光学補償素子２３（２４）を保持部材２９の固定面２９Ａ、２９Ｂ、２９Ｃ、２９Ｄに埋め込み、固定面２９Ａ、２９Ｂ、２９Ｃ、２９Ｄの変形した形状の構造制約によって光学補償素子２３（２４）の位置を固定することを特徴とする。
（第４の実施形態）
第４の実施形態は第１の実施形態において保持部材２９の形状を特定の形状に限定したものである。保持部材２９の形状の一例を光軸３００方向から示した模式図が図８である。図８は説明の為、保持部材２９のほかに、液晶表示素子１８（１８Ｂ、１８Ｇ、１８Ｒ）および光学補償素子２３（２４）を保持部材の前後に配置した状態で示されている。以下、液晶表示素子１８（１８Ｂ、１８Ｇ、１８Ｒ）の２つの透明基板（図示せず）に平行な面内にて説明する。また同じく説明の為、光学補償素子２３（２４）は位置調整のされていない状態で配置されている。このとき液晶表示素子１８（１８Ｂ、１８Ｇ、１８Ｒ）の有効表示範囲３３の基準辺３４と、光学補償素子２３（２４）の基準辺３１は平行に配置されている。ここで、光学補償素子２３（２４）の長方形の辺うち、基準辺３１の長さをＨ、基準辺３１に垂直な辺の長さをＶとし、光学補償素子２３（２４）の長方形の形状中心を６０１とし、形状中心６０１から基準辺３１に平行な直線を６０２とする。形状中心６０１を基準として図のように、距離ｒ、角度θ、を定め、極座標を設定する。このとき角度θは直線６０２と図の右方向にて重なるとき０°となるとする。この座標系にて下記（数１）、（数２）、（数３）、（数４）、（数５）にて示されるｒ，θ１，θ２，θ３，θ４による円弧（ｒ，θ１）、（ｒ，θ２）、（ｒ，θ３）、（ｒ，θ４）をそれぞれ、５０１，５０２、５０３、５０４とする。
【００２５】
【数１】
2005055455.tif 000003
【００２６】
【数２】
2005055455.tif 000004
【００２７】
【数３】
2005055455.tif 000005
【００２８】
【数４】
2005055455.tif 000006
【００２９】
【数５】
2005055455.tif 000007
【００３０】
本発明の一例においては保持部材２９の固定面２９Ａ、２９Ｂ、２９Ｃ、２９Ｄ、がそれぞれ円弧５０１，５０２、５０３、５０４を含む平面である。これにより、光学補償素子２３（２４）は固定面２９Ａ、２９Ｂ、２９Ｃ、２９Ｄを含む液晶表示素子１８（１８Ｂ、１８Ｇ、１８Ｒ）の二つの透明基板（図示せず）に平行な面内にて形状中心６０１を中心に±１°以上回転摺動することが可能となり、光学補償素子２３（２４）を±１°以上回転調整したうえ、固定面２９Ａ、２９Ｂ、２９Ｃ、２９Ｄを含む液晶表示素子１８（１８Ｂ、１８Ｇ、１８Ｒ）の二つの透明基板（図示せず）に平行な状態で固定できる。
【００３１】
但し、固定面２９Ａ、２９Ｂ、２９Ｃ、２９Ｄすべてがそれぞれ円弧５０１，５０２、５０３、５０４を含む必要は無く、固定面２９Ａ、２９Ｂ、２９Ｃ、２９Ｄのうち少なくとも二つ以上が上記円弧５０１，５０２、５０３、５０４を含む平面をなしていれば良い。残りの二つの固定面は液晶表示素子１８（１８Ｂ、１８Ｇ、１８Ｒ）の二つの透明基板（図示せず）に平行な面内の平面で光学補償素子２３（２４）を保持できるのであれば、位置、形状は構わない。上記円弧５０１，５０２、５０３、５０４を含む固定面２９Ａ、２９Ｂ、２９Ｃ、２９Ｄはうち二つ以上が平面として繋がっていても構わない。また、光学補償素子２３（２４）が問題無く固定できるのであれば、残りの二つの固定面は一つでも構わない。上記の形状であれば、同じく光学補償素子２３（２４）を±１°以上回転調整したうえ、固定面２９Ａ、２９Ｂ、２９Ｃ、２９Ｄを含む液晶表示素子１８（１８Ｂ、１８Ｇ、１８Ｒ）の二つの透明基板（図示せず）に平行な状態で固定できる。
【００３２】
以上説明したように、本発明によれば、各光学素子の軸角度の製造誤差、液晶表示素子のラビング方向角度等の製造誤差等を光学補償素子の位置調整によって補うことができ、高いコントラストと、照度が均一で色むらの良好な黒表示性能をえることができる。
【００３３】
また、投射型映像表示装置に調整機構をもたない為、調節機構追加分の部品点数を増やすことが無く、黒表示レベルの高い投射型映像表示装置およびその調整方法を安価に提供することができる。
【００３４】
以上のように、投射型映像表示装置に調整機構をもたない為、調節機構追加分の部品点数を増やすことが無く、黒表示レベルの高い投射型映像表示装置およびその調整方法を安価に提供することができる。
【００３５】
【発明の効果】
以上説明したように、本発明によれば、投射型映像表示装置の低価格化が可能となる。
【図面の簡単な説明】
【図１】本発明の投射型液晶表示装置の一実施形態を示す光学系の構成図である。
【図２】光軸方向から垂直な方向から見たライトバルブの構成図ある。
【図３】ライトバルブを構成する各光学素子の軸角度を示した構成図ある。
【図４】液晶表示素子と光学補償素子が共通の保持部材に固定される場合の構成図ある。
【図５】保持部材に液晶表示素子と光学補償素子を取り付ける固定方法を説明する正面図ある。
【図６】本発明の第１の実施例に係る保持部材とこれに固定される液晶表示素子と光学補償素子の固定方法の一例を示す斜視図ある。
【図７】本発明の第１の実施例に係る光学補償素子の一例を示す斜視図ある。
【図８】本発明の他の実施例に係る保持部材とこれに固定される液晶表示素子と光学補償素子の固定方法の一例を示す平面図ある。
【符号の説明】
１…光源、２…反射鏡、３…第１のアレイレンズ、４…第２のアレイレンズ、５…偏光変換素子、６…集光レンズ、７…反射ミラー、８…反射ミラー、９…反射ミラー、１０…反射ミラー、１１…ダイクロイックミラー、１２…ダイクロイックミラー、１３…コンデンサレンズ、１４…ライトバルブ、１５…第１のリレーレンズ、１６…第２のリレーレンズ、１７…第３のリレーレンズ、１８…映像表示素子、２１…光合成プリズム、２２…入射偏光板、２２Ａ…吸収軸、２３…光学補償素子、２３Ａ…光学軸、２４…光学補償素子、２４Ａ…光学軸、２５…出射偏光板、２５Ａ…吸収軸、２６…配向膜、２６Ａ…ラビング方向、２７…配向膜、２７Ａ…ラビング方向、２８…液晶層、２９…保持部材、２９Ａ…固定部、２９Ｂ…固定部、２９Ｃ…固定部、２９Ｄ…固定部、３１…基準辺、３２…窓、３３…有効表示範囲、３４…基準辺、３５…光学補償素子、３５Ａ…基準辺、３６…光学素子、３６Ａ…基準辺、１００…スクリーン、２００…投射レンズ、３００…光軸、４０１…接着剤、４０２…接着剤、４０３…接着剤、４０４…接着剤、α…角度。
【図１】
2005055455.tif 000018
【図２】
2005055455.tif 000019
【図３】
2005055455.tif 000020
【図４】
2005055455.tif 000021
【図５】
2005055455.tif 000022
【図６】
2005055455.tif 000023
【図７】
2005055455.tif 000024
【図８】
2005055455.tif 000025